(57)【要約】【課題】  現場業務の記録用として撮像カメラをヘッドホンセット又は防護メガネにマウントしたものがあったが，装着が面倒で子供や高齢者の使用は困難であった。  子供や高齢者の外出時の事故，迷子又は犯罪への危険が増加している。一方保護者の付き添いには限界がある。【解決手段】  本発明は情報共有イヤホンシステムに関する。  システムを構成するイヤホン情報端末は，概筒形状の胴部分の片側がスピーカ部と固定され他端側のスピーカ部とは反対側に撮像部を係着する構造を有し、装着する時は前記胴部分を耳珠と対耳珠の間に挟持させることで，子供や高齢者であっても手軽容易に前記撮像部を耳垂近傍に保持できる。イヤホン情報端末を装着し周囲の映像・音声を，監視保護者や監視通知サーバに携帯型コミュニケータなどにより通信ネットワークを介して送信する本システムを用いることで装着者の安全向上に寄与することができる。【選択図】図１
2015015691.tif 000002
【特許請求の範囲】
【請求項１】
イヤホン情報端末の装着者の周囲の状況を表す情報を，電話相手，テレビ電話相手若しくは監視保護者に対して，それぞれの通信端末，携帯型コミュニケータ又はパーソナルコンピュータを利用して通信ネットワークを介して送信し，前記電話相手，テレビ電話相手若しくは監視保護者から前記装着者に対して，音，音声又は映像による情報が送信される情報共有イヤホンシステムであって，
前記イヤホン情報端末は，
前記装着者の耳甲介による空間にスピーカハウジングが保持されるオープンタイプのスピーカ部又は外耳道にインナーパッドを挿入することでスピーカ部を保持する密閉型のスピーカ部と，
耳珠と対耳珠との珠間により挟持される概筒形状の胴部分を有し，前記胴部分の両端の片側が前記スピーカ部と固定され，他端側に集音部，送受信部又はインターフェイス部を，他端側の更にスピーカ部と反対側に撮像部を係着し，前記装着者が装着する時は前記スピーカ部の保持と共に前記胴部分を耳珠と対耳珠の間である珠間に挟持させて，前記スピーカ部と合わせて２点で保持し，前記装着者が頭を立てた状態のとき前記他端側の集音部，送受信部，インターフェイス部及び他端側の更にスピーカ部と反対側の撮像部の重力ベクトルが前記スピーカ部を支点にして，前記胴部分を更に珠間に押しつける方向となることを利用して，前記撮像部，集音部，送受信部又はインターフェイス部を耳垂近傍に安定的に保持せしめることができる挟持部と，
前記挟持部の他端側の更にスピーカ部と反対側に係着されて前記装着者の視界を含むエリアを撮像する向きに保持され，カメラモジュールにより映像を取得して画像情報を出力する前記撮像部と，
前記挟持部の他端側の前記撮像部又は有線ケーブル上の基台に載接又は埋設されたマイクロホンで周囲の音を集音して周囲音情報を出力する前記集音部と，
前記通信端末，携帯型コミュニケータ又はパーソナルコンピュータと情報信号を無線又は有線ケーブルで送受信する前記送受信部又はインターフェイス部と，
を備えることを特徴とする，前記情報共有イヤホンシステム。
【請求項２】
前記イヤホン情報端末は，
撮像部の撮像する方向を照明する向きに前記挟持部の他端側若しくは前記撮像部に保持される発光素子を有する照明部，
前記挟持部の他端側若しくは前記撮像部に保持される臭いを検知して臭い情報を出力する臭いセンサ部，
ＧＰＳ情報を電話相手，テレビ電話相手若しくは監視保護者に対して，通信端末，携帯型コミュニケータ若しくはパーソナルコンピュータにより通信ネットワークを介して送信するＧＰＳ装置，
から選ばれた一つ又は複数の任意の組み合わせを更に備えることを特徴とする請求項１に記載の情報共有イヤホンシステム。
【請求項３】
該情報共有イヤホンシステムの運用及びイヤホン情報端末の情報を監視する監視通知サーバを更に備え，
前記監視通知サーバは、
通信ネットワークを介して前記イヤホン情報端末の装着者の周囲情報である画像情報，周囲音情報，臭い情報，ＧＰＳ情報若しくは地震津波情報，又は，電話相手，テレビ電話相手，監視保護者若しくは他のイヤホン情報端末装着者と交信した情報からなる監視情報を取得する取得部と，
前記監視情報を分析して，前記装着者，電話相手，テレビ電話相手，監視保護者若しくは他の前記イヤホン情報端末装着者，電気通信事業者，公共機関又は民間安全産業会社におこなう通知制御の内容又はユーザに対する課金を決定する分析部と，
通信ネットワークを介して前記分析部による分析情報又は通知制御情報を送信する送信部と，
前記監視情報，前記分析情報又は通知制御情報を記憶する記憶部と，
を備えることを特長とする請求項１又は２のいずれかに記載の情報共有イヤホンシステム。
【請求項４】
該情報共有イヤホンシステムの上記電話相手，上記テレビ電話相手若しくは上記監視保護者の，通信端末，携帯型コミュニケータ又はパーソナルコンピュータに前記イヤホン情報端末を無線又は有線ケーブルで送受信接続することを特徴とする請求項１から３のいずれかに記載の情報共有イヤホンシステム。
【請求項５】
前記イヤホン情報端末の集音部は，前記挟持部の他端側又は前記撮像部に固着又は埋設されたマイクロホンで周囲の音を集音し，集音した音の信号の中から前記スピーカ部から出力する電話相手等からの音若しくは音声又は装着者が聴くミュージック音等の音信号の逆位相の信号により，前記スピーカ部から出力する音のマイクロホンへの回り込み音を減衰させ，前記装着者の周囲音のＳ／Ｎを上げる事ができる周囲音源保護処理装置を更に備えることを特長とする請求項１から４に記載の情報共有イヤホンシステム。
【請求項６】
前記イヤホン情報端末は，前記装着者の対耳珠の裏面側に当接して撮像部の上記耳珠近傍への保持を補助する裏面当接部を更に備え，前記裏面当接部は対耳珠裏面側に当接する接触端，前記接触端から伸びるアーム及び前記アームの他端側となる固定端から構成され，前記アームは可撓性の材質で前記固定端が上記挟持部に直接固定されている裏面当接部，
前記アームは可撓性を有しない材質で前記固定端と接続し前記固定端は更に有する回動機構部により回動可能に上記挟持部の他端側に固定されている裏面当接部，
前記固定端は撮像部に固定されて撮像部とともに回動可能に挟持部の他端側に固定される裏面当接部
又は前記固定端は前記挟持部の他端側の概筒形状の胴部分の軸線と平行にスライド可能なスライド機構部に固定され，スピーカ部から離れた位置に固定端をスライドさせて前記スピーカ部と挟持部を装着位置にセットした後，固定端をスピーカ部の方向にスライドして前記接触端を対耳珠裏面側に当接させる裏面当接部と
を更に備えることを特徴とする，請求項１から５のいずれかに記載の情報共有イヤホンシステム。
【発明の詳細な説明】
【技術分野】
【０００１】  本発明は、イヤホン情報端末装着者の周囲の情報を，通信端末等を用いて，電話相手等に伝えてコミュニケートすることができる情報共有イヤホンシステムに関する。
【背景技術】
【０００２】  従来より、撮像部とヘッドホン又はイヤホンを組み合わせて用いる装置として，主に現場での業務あるいは救助活動の記録用として用いられるものがあり，撮像部を取り付けた耳掛け式イヤホン，撮像部を取り付けたヘッドホンのセット又は防護メガネ等にカメラをマウントして用いるものがあった。これらは作業内容の確認と記録に用いることが多いため，撮像部の固定が重要であり，装着の容易さはあまり考慮されていなかった。
【先行技術文献】
【特許文献】
【０００３】
【特許文献１】特開平１１−２７５４２２
【特許文献２】特開２００３−１６９１６１
【特許文献３】特開２００９−４８６０１
【特許文献４】特開２００９−１７１００２
【特許文献５】特開２０１０−２６８０３０
【発明の概要】
【発明が解決しようとする課題】
【０００４】  イヤホンは一般の利用者が携帯音楽プレーヤ又は通信端末とセットで利用されることが多く有線式やＢｌｕｅｔｏｏｔｈ規格を用いる無線等で信号接続され，歩行中や電車の中など生活の中で普通に装着されている。これらの普通のイヤホン使用者の低年齢化あるいは高年齢化も進んでいる。前記普通のイヤホンは耳珠，対耳珠及び耳甲介による空間にイヤホンを抱持させるか外耳道にイヤホンのインナーパッド部を挿入するだけで誰でも容易に装着できるものである。【０００５】  一方，前記現場業務の記録用，救助活動の記録用として，撮像部を耳掛け式のイヤホン，ヘッドホンセット又は防護メガネ等にマウントして用いるものがあったが。これらは装着が面倒であったり，低年齢者の装着が困難であったことから，一般にはあまり普及していない。【０００６】  高齢化が進み，子供や女性に高年齢者も加わりいわゆる弱者が増えている。これら弱者は外出時や一人でいる時には事故，迷子あるいは犯罪に巻き込まれるなどの危険にさらされている。弱者の外出時の危険性を下げる方法は保護者の付き添いであるが，今後の後期高齢者の増加に対して付き添い保護者の増加はあまり期待できず、危険性が増大するという課題があった。
【課題を解決するための手段】
【０００７】  本発明のある態様は情報共有イヤホンシステムに関する。この情報共有イヤホンシステムはイヤホン情報端末の装着者の周囲の状況を表す情報を，電話相手，テレビ電話相手若しくは監視保護者に対して，それぞれの通信端末，携帯型コミュニケータ又はパーソナルコンピュータを利用して通信ネットワークを介して送信し，前記電話相手，テレビ電話相手若しくは監視保護者から前記装着者に対して，音，音声又は映像による情報が送信される情報共有イヤホンシステムであって，
前記イヤホン情報端末は，前記装着者の耳甲介による空間にスピーカハウジングが保持されるオープンタイプのスピーカ部又は外耳道にインナーパッドを挿入することでスピーカ部を保持する密閉型のスピーカ部と，耳珠と対耳珠との珠間により挟持される概筒形状の胴部分を有し，前記胴部分の内部に通線空間と該通線空間中にスピーカ信号線を有してもよく，前記胴部分の両端の片側が前記スピーカ部と固定され，他端側に集音部，送受信部又はインターフェイス部を，他端側の更にスピーカ部と反対側に撮像部を係着し，前記装着者が装着する時は前記スピーカ部の保持と共に前記胴部分を耳珠と対耳珠の間である珠間に挟持させて，更に前記胴部分は太さを調整できる調整部若しくは柔軟性のあるフィット部を備えてもく，前記スピーカ部と合わせて２点で保持し，装着者が頭を立てた状態のとき前記他端側の集音部，送受信部，インターフェイス部及び他端側の更にスピーカ部と反対側の撮像部の重力ベクトルが前記スピーカ部を支点にして，前記胴部分を更に珠間に押しつける方向となることを利用して，前記撮像部，集音部，送受信部又はインターフェイス部を耳垂近傍に安定的に保持せしめることができる挟持部と，前記挟持部の他端側に係着されて前記装着者の視界を含むエリアを撮像する向きに保持され，カメラモジュールにより映像を取得して画像情報を出力する前記撮像部と，前記挟持部の他端側の前記撮像部又は有線ケーブル上の基台に載接又は埋設されたマイクロホンで周囲の音を集音して周囲音情報を出力する前記集音部と，前記通信端末，携帯型コミュニケータ又はパーソナルコンピュータと情報信号を無線又は有線ケーブルで送受信する前記送受信部又はインターフェイス部と，を備えることを特徴とする。【０００８】  前記イヤホン情報端末は，撮像部の撮像する方向を照明する向きに前記挟持部の他端側若しくは前記撮像部に保持される発光素子を有する照明部，前記挟持部の他端側若しくは前記撮像部に保持される臭いを検知して臭い情報を出力する臭いセンサ部，ＧＰＳ情報を電話相手，テレビ電話相手若しくは監視保護者に対して，通信端末，携帯型コミュニケータ若しくはパーソナルコンピュータにより通信ネットワークを介して送信するＧＰＳ装置，から選ばれた一つ又は複数の任意の組み合わせを備えてもよい。【０００９】  情報共有イヤホンシステムは，
該情報共有イヤホンシステムの運用及びイヤホン情報端末の情報を監視する監視通知サーバを更に備え，前記監視通知サーバは，通信ネットワークを介して前記イヤホン情報端末の装着者の周囲情報である画像情報，周囲音情報，臭い情報又はＧＰＳ情報と，通信ネットワークから得られる地震，津波，火災若しくは事故情報又は，電話相手，テレビ電話相手，監視保護者若しくは他のイヤホン情報端末装着者と交信した情報とからなる監視情報を取得する取得部と，前記監視情報を分析して，前記装着者，電話相手，テレビ電話相手，監視保護者若しくは他の前記イヤホン情報端末装着者，電気通信事業者，公共機関又は民間安全産業会社におこなう通知制御の内容又はユーザに対する課金を決定する分析部と，通信ネットワークを介して前記分析部による分析情報又は通知制御情報を送信する送信部と，前記監視情報，前記分析情報又は通知制御情報を記憶する記憶部と，を備えてもよい。また該情報共有イヤホンシステムのユーザの利用情報を送信してもよい。【００１０】  情報共有イヤホンシステムの上記電話相手，上記テレビ電話相手若しくは上記監視保護者の，通信端末，携帯型コミュニケータ又はパーソナルコンピュータに前記イヤホン情報端末を無線又は有線ケーブルで送受信接続してもよく，この場合は，本発明における装着者と電話相手は共にイヤホン情報端末を装着しており両者は異なる場所にいながら対等な立場で互いに周囲の情報を交換できる。【００１１】  前記イヤホン情報端末の集音部は，前記挟持部又は前記撮像部に固着又は埋設されたマイクロホンで周囲の音を集音し，集音した音の信号の中から前記スピーカ部から出力する電話相手等からの音若しくは音声情報又は装着者が聴くミュージック音等の音信号の逆位相の信号により，前記スピーカ部から出力する音のマイクロホンへの回り込み音を減衰させ，前記装着者の周囲音のＳ／Ｎを上げる事ができる周囲音源保護処理部を備えてもよい。【００１２】  更に集音部からの周囲音は，装着者が音楽を聞いているときには装着者に対してノイズとなるので，スピーカ部に逆位相にして重畳させればノイズキャンセル機能として利用でき，集音部からの周囲音を増幅してスピーカ部に出力すれば，補聴器機能を発揮する事ができ，前記周囲音源保護処理部に更に前記ノイズキャンセル機能又は補聴器機能を備えてもよい。【００１３】前記イヤホン情報端末は，前記装着者の対耳珠の裏面側に当接して撮像部の上記耳珠近傍への保持を補助する裏面当接部を更に備え，前記裏面当接部は対耳珠裏面側に当接する接触端，前記接触端から伸びるアーム及び前記アームの他端側となる固定端から構成され，前記アームは可撓性の材質で前記固定端が上記挟持部に直接固定されている裏面当接部，前記アームは可撓性を有しない材質で前記固定端と接続し前記固定端は更に有する回動機構部により回動可能に上記挟持部の他端側に固定されている裏面当接部，前記固定端は撮像部に固定されて撮像部とともに回動可能に挟持部の他端側に固定される裏面当接部又は前記固定端は前記挟持部の他端側の概筒形状の胴部分の軸線と平行にスライド可能なスライド機構部に固定され，スピーカ部から離れた位置に固定端をスライドさせて前記スピーカ部と挟持部を装着位置にセットした後，固定端をスピーカ部の方向にスライドして前記接触端を対耳珠裏面側に当接させる裏面当接部とを更に備えてもよい。【００１４】  なお，以上の構成要素の任意の組み合わせ，本発明の表現を方法，装置，システム，記憶媒体，コンピュータプログラムなどの間で変換したものもまた，本発明の態様として有効である。
【発明の効果】
【００１５】  前記低年齢者や後期高齢者が容易に装着できる普通のイヤホン構造では，撮像部を付けた時の重量を安定的に保持固定することができなかった。本発明の情報共有イヤホンシステムに係るイヤホン情報端末においては，胴部分の両端の内，一端がスピーカ部と固定されて他端側に集音部，送受信部，インターフェイス部又は他端側であってスピーカ部とは反対側に撮像部を係着している挟持部を有していることが特徴で，前記挟持部の胴部分を耳珠と対耳珠の間に挟持させることで，耳に対してスピーカ部と挟持部の２箇所で保持でき，装着者が頭を立てた状態のとき前記他端側の撮像部，集音部，送受信部又はインターフェイス部の重力ベクトルが前記スピーカ部を支点にして，前記胴部分を更に挟持方向に押しつける方向となることから，頭を立てた状態で顔を上下する程度の日常の動きに対して前記撮像部，集音部，送受信部又はインターフェイス部とスピーカー部が一体となった構成で撮像部を耳垂近傍に安定的に保持せしめることが可能となった。しかも装着方法は前記普通のイヤホンと同等程度に容易である。【００１６】  このように情報共有イヤホンシステムに係るイヤホン情端末は低年齢者や高齢者が普通のイヤホンの様に外出時には気軽に装着できるため，簡単に本発明の情報共有イヤホンシステムが利用でき，上記付き添い保護者の機能が得られるものである。【００１７】また，イヤホン情報端末装着者が万一事故や犯罪にまきこまれたときには，電話相手や保護者は警察や救急に対して装着者の視界を含む映像，周囲音，声，臭い又は位置等から多くの情報を伝えることができるので装着者の救助救急安全性が高くなる。又装着者に対しては救助側の行動又は救助計画を知らせることができ装着者自身の避難行動の参考にできる。【００１８】  更に，監視通知サーバを備えれば，緊急時には監視通知サーバから分析部の通知制御に基づいた公共機関又は民間安全産業会社などの救助救急部署への直接通知がなされ，より早く的確な救助救急を実施できる。更に通信ネットワークを介して，ＧＰＳ情報，火事や事故等の情報又は地震津波の情報を監視通知サーバが取得しイヤホン情報端末装着者に送信することで，イヤホン情報端末装着者の安全向上に寄与することができる。【００１９】  記憶部による情報の記録は，万一の時の状況の正確な記録となるばかりか，情報共有イヤホンシステムによって記録が行われていることが明らかであることにより，犯罪が未然に防止される効果も期待できる。【００２０】  さらに，イヤホン情報端末の装着者の通信先である電話相手，テレビ電話相手又は監視保護者にあってもイヤホン情報端末を装着すれば，互いのイヤホン情報端末装着者から装着者の視界を含むエリアの映像又は周囲の音が送られてきて，あたかもイヤホン情報端末装着者同士が離れた場所にいながらそばにいるような安心の効果が得られる。【００２１】  また，上記スピーカ部から出力される音の集音部マイクロホンへの回り込み音を減衰させる周囲音源保護処理部を備えれば，例えばイヤホン装着者が音楽などを聴いている最中であっても，電話相手等にはその音楽音の回り込みは低く抑えられて装着者の話し声又は周囲音は明瞭に届き，質の高い記録も得られるという効果がある。【００２２】  上記裏面当接部を備えたイヤホン情報端末は装着時には１アクション多くなるが単純な操作であり，ある程度の振動や頭を横にしたりしても外れにくいことから，例えば装着者がジョギングや登山等を行う時や軽作業などでの使用時に有用である。本構造によれば，ピアス・イヤリング装着者であってもその横の対耳珠の裏部分を抑える構造なので支障は少ない。
【図面の簡単な説明】
【００２３】
【図１】実施の形態に係る情報共有イヤホンシステムの構成を示す図である。
【図２】実施の形態に係る無線で送受信するイヤホン情報端末の構成を示す図である。（１）正面図（２）右側面図
【図３】実施の形態に係る図２の例での装着イメージを示す図である。
【図４】実施の形態に係る有線で送受信するイヤホン情報端末の構成を示す図である。
【図５】実施の形態に係る監視通知サーバの構成を示す図である。
【図６】実施の形態に係る可撓性当接部を備えるイヤホン情報端末を示す図である。
【図７】実施の形態に係る回動当接部を備えるイヤホン情報端末を示す図である。（１）回動機構部の装着前の状態を示す図（２）回動機構部の装着時の状態を示す図
【図８】実施の形態に係るスライド当接部を備えるイヤホン情報端末を示す図である。（１）スライド機構部の装着前の状態を示す図（２）スライド機構部の装着後の状態を示す図
【発明を実施するための形態】
【００２４】  図１は，本発明の実施の形態に係る情報共有イヤホンシステムの構成を示す。情報イヤホンシステムは，装着者１の周囲の情報である装着者の視界を含む映像，周囲音及び臭い情報をイヤホン情報端末５ａにて取得して携帯型コミュニケータ６ａに無線にて送信し，一方イヤホン情報端末５ａには携帯型コミュニケータ６ａからテレビ電話相手の音声又は音楽や英会話学習などの音声が無線送信される。
【００２５】  携帯型コミュニケータ６ａでは装着者１の周囲情報を記憶すると共に通信ネットワーク４を介して，テレビ電話相手２との通信時にはパーソナルコンピュータ７に対して，テレビ電話相手３との通信時には携帯型コミュニケータ６ｂ及び，イヤホン情報端末５ｂに対して装着者１の周囲情報を送信する。装着者１へはテレビ電話相手２又は３の音声，映像情報又は周囲情報を携帯型コミュニケータ６ａに対して送信される。
【００２６】  監視通知サーバ２２は通信ネットワーク４を介して，装着者１とテレビ電話相手の送受信による交信情報と周囲情報である画像情報，周囲音情報，臭い情報又はＧＰＳ情報と，通信ネットワーク４から得られる地震，津波，火災若しくは事故情報とからなる監視情報を取得すると共に記憶し分析して，緊急時には監視通知サーバから分析部の通知制御に基づいた公共機関又は民間安全産業会社などの救助救急部署へ通信ネットワークを介して通知制御をおこなう。
【００２７】  図２は，イヤホン情報端末の実施の形態に係る無線で送受信するイヤホン情報端末の構成を示す図であり，（１）は正面（２）は右側面を示す図である。
【００２８】  イヤホン情報端末は，装着者の耳甲介２７による空間にスピーカハウジングが保持されるオープンタイプのスピーカ部１０と，耳珠と対耳珠との珠間により挟持される概筒形状の胴部分９を有し，胴部分９の内部に通線空間と該通線空間中にスピーカ信号線を有し、胴部分９の両端の片側がスピーカ部１０と固定され，他端側に集音部１２，送受信部とインターフェイス部を内蔵するボディー１３を，他端側の更にスピーカ部１０とは反対側に撮像部１１を係着し，更に撮像部１１に固定された照明部１４及び臭いセンサ部１５とを備えており，撮像部１１は挟持部８の他端側のボディー１３と視野調整のために回動機構部２０にて回動可能に取り付けてあり，照明部も一体に回動することで常に撮像方向を照明する。
【００２９】  集音部１２はスピーカ部１０とは最も遠い位置に配置されているが，本発明の特徴であるスピーカ部１０からの出力音の集音部１２への回り込み音を減衰させる周囲音源保護処理部を備え，テレビ電話相手又は監視通知サーバにはスピーカ出力音をノイズと見立てて周囲音のＳ／Ｎを向上させる処理を行っている。
【００３０】  図３は，装着者が実施の形態に係るイヤホン情報端末を装着したときの装着イメージを示す図であり，スピーカ部１０は耳甲介２７に保持され，挟持部８の胴部分９は耳珠２８と対耳珠２９との珠間３０により挟持され，スピーカ部１０と合わせて２点で保持することと，他端側に集音部１２と，送受信部又はインターフェイス部を，更に他端側のスピーカ部とは反対側に撮像部１１，照明部１４，臭いセンサ部１５を係着していることから，装着者が頭を立てた状態のとき重力ベクトルがスピーカ部１０を支点にして，胴部分９を更に珠間３０に押しつける方向となることで，撮像部１１，集音部１２，送受信部又はインターフェイス部を有するボディー１３を耳垂近傍に安定的に保持せしめることができる。
【００３１】  図４は，通信端末，携帯型コミュニケータ又はパーソナルコンピュータと情報信号を有線ケーブルで送受信する実施の形態に係るイヤホン情報端末を示し，ケーブル３１を有すると共に，集音部をケーブル３１の途中に設けている。
【００３２】  図５は，実施の形態に係る監視通知サーバ２２の構成を示す。監視通知サーバは，情報共有イヤホンシステムの運用及びイヤホン情報端末の情報を監視し，通信ネットワーク４を介してイヤホン情報端末の装着者の周囲情報である画像情報，周囲音情報，臭い情報又はＧＰＳ情報と，通信ネットワークから得られる地震，津波，火災若しくは事故情報又は，電話相手，テレビ電話相手，監視保護者若しくは他のイヤホン情報端末装着者と交信した情報とからなる監視情報を取得する取得部２３と，監視情報を分析して前記装着者，電話相手，テレビ電話相手，監視保護者若しくは他の前記イヤホン情報端末装着者，電気通信事業者，公共機関又は民間安全産業会社におこなう通知制御の内容又はユーザに対する課金を決定する分析部２４と，通信ネットワーク４を介して分析部２４による分析情報又は通知制御情報を送信する送信部２５と，前記監視情報，前記分析情報又は通知制御情報を記憶する記憶部２６を備えている。更に情報共有イヤホンシステムのユーザの利用情報を通信ネットワークでユーザに送信することができる。
【００３３】  図６は，実施の形態に係るイヤホン情報端末の，装着者の対耳珠２９の裏面側に当接して撮像部の上記耳珠近傍への保持を補助する裏面当接部１６を備え，裏面当接部１６は対耳珠２９の裏面側に当接する接触端１８，接触端１８から伸びるアーム１９及びアーム１９の他端側にある固定端１７を備え，アーム１９は可撓性のゴム材質で固定端１７が挟持部に直接固定されている構成である。
【００３４】  図７は，他の実施の形態に係るイヤホン情報端末の，裏面当接部１６のアーム１９は可撓性を有しないプラスチック材質で固定端１７と接続し固定端１７は，回動機構部２０により回動可能固定された撮像部に固定されている構成の，（１）は接触端１８を開いた状態を示し，（２）は接触端１８を対耳珠２９の裏面に接触せしめた状態を示す図である。接触せしめる力は回動機構部２０内のスプリングで得ている。装着時は（１）に示すように触端１８を開いた状態とし，装着後に（２）に示すように状態接触端１８を閉じて対耳珠２９の裏面側に当接させる。
【００３５】  図８は，実施の形態に係るイヤホン情報端末の，裏面当接部１６のアーム１９は可撓性を有しないプラスチック材質で固定端１７と接続し固定端１７は挟持部８の他端側の概筒形状の胴部分９の軸線と平行にスライド可能なスライド機構部２１に固定されている構成の，（１）は接触端１８を開いた状態を示し，（２）は接触端１８を対耳珠２９の裏面に接触せしめた状態を示す図である。接触せしめる力はスライド機構部２１内のスプリングで得ている。装着時は（１）に示すようにスピーカ部１０から離れた位置に固定端１７をスライドさせて前記スピーカ部１０と挟持部８を装着位置にセットした後，（２）に示すように固定端１７をスピーカ部１０の方向にスライドして接触端１８を対耳珠２９の裏面側に当接させる。
【００３６】  以上，本発明を実施の形態をもとに説明した。この実施の形態は例示であり，それらの各構成要素や各処理プロセスの組み合わせにいろいろな変形例が可能なこと，またそうした変形例も本発明の範囲にあることは当業者に理解されるところである。
【符号の説明】
【００３７】１…装着者，２…テレビ電話相手１，３…テレビ電話相手２，４…通信ネットワーク，
５ａ，５ｂ…イヤホン情報端末，６ａ，６ｂ…携帯型コミュニケータ，
７…パーソナルコンピュータ，８…挟持部，９…胴部分，１０…スピーカ部
１１…撮像部，１２…集音部，１３…ボデー，１４…照明部，１５…臭いセンサ部
１６…裏面当接部，１７…固定端，１８…接触端，１９…アーム，
２０…回動機構部，２１…スライド機構部，２２…監視通知サーバ，２３…取得部
２４…分析部，２５…送信部，２６…記憶部，２７…耳甲介，２８…耳珠，
２９…対耳珠，３０…珠間，３１…ケーブル
【図１】
2015015691.tif 000003
【図２】
2015015691.tif 000004
【図３】
2015015691.tif 000005
【図４】
2015015691.tif 000006
【図５】
2015015691.tif 000007
【図６】
2015015691.tif 000008
【図７】
2015015691.tif 000009
【図８】
2015015691.tif 000010